(57)【要約】【課題】把手板に換気機能とドアハンドルの機能を持たせたドアハンドル構造及びドアを提供すること。【解決手段】扉本体２に空気の通路となる開口部４を形成する。開口部４に扉本体２に開閉可能に軸支される把手板９を配設する。把手板９の中央部に扉本体２の開閉及び把手板９の開閉を可能に形成した貫通孔１０を設ける。貫通孔１０に手を挿入して把持して把手板９を扉本体２に対して直交するように開けることにより扉本体２を閉めたまま換気する。換気しない場合には、把手板９を扉本体２に対して面一になるように閉めて扉本体２をフラットな状態にする。貫通孔１０に手を挿入して把持して扉本体２の開閉を行なう。【選択図】図１
2011111826.tif 000002
【特許請求の範囲】
【請求項１】
扉本体に配設されて換気機能を有するドアハンドル構造であって、
該扉本体には、空気の通路となる開口部が形成され、
該開口部には、該扉本体に開閉可能に軸支される把手板が配設され、
該扉本体と該把手板を回動可能に連結する軸部を備え、
該把手板には、該扉本体の開閉及び該把手板の開閉をさせる把持部が形成されていることを特徴とするドアハンドル構造。
【請求項２】
該把持部が、該把手板に手を挿入可能な貫通孔であることを特徴とする請求項１記載のドアハンドル構造。
【請求項３】
該把手板が、平面視略Ｓ字状に形成され、
該把持部が、該把手板の水平方向の両端部を手で把持可能に形成されていることを特徴とする請求項１記載のドアハンドル構造。
【請求項４】
該軸部が、該把手板を緩速又は間欠に回動させる部材を有して構成されることを特徴とする請求項１、２又は３記載のドアハンドル構造。
【請求項５】
該把手板の水平方向の両端面には、手の挟み込みを防止する弾性体が止着されていることを特徴とする請求項１、２、３又は４記載のドアハンドル構造。
【請求項６】
請求項１、２、３、４、又は５のいずれか一項に記載のドアハンドル構造を備えていることを特徴とするドア。
【発明の詳細な説明】
【技術分野】
【０００１】
本発明は、換気機能を有するドアハンドル構造及びドアに関するものである。
【背景技術】
【０００２】
近年、建築物の建築技術向上の結果、室内の密閉性が高くなり空気を換気することが必要となってきた。
【０００３】
これに対し、特許文献１には、ドア枠内で開閉自在に枢支され、室外面側に凹設形成した収納凹部を有するドア板と、防虫網体を着脱可能に嵌め込むよう収納凹部の室内面側に形成した窓枠部と、収納凹部の開口面に嵌め入れられているスライド板と、ドア板の収納凹部、スライド板夫々の両端縁部同士を連結すべく介設され、スライド板の収納凹部内への収納退避に応じて折り畳み可能とした通風・換気性を有する左右一対の通気板と、スライド板を収納凹部内外で進出・収納させるようにしたスライド板進退機構とから成るドアにおける換気装置があった。
【０００４】
当該ドアにおける換気装置は、ドア板からスライド板を迫り出して通気可能にし、あるいは収納して閉塞するものであった。
【先行技術文献】
【特許文献】
【０００５】
【特許文献１】特開２００１−１５９２７９号公報
【発明の概要】
【発明が解決しようとする課題】
【０００６】
しかし、特許文献１のドアにおける換気装置は、スライド板、通気板、防虫網体等の部材をスライド板進退機構やガイド機構を用いて進出・収納させるため複雑な構造となっていた。また、収納時においてもドア板から突起物が多くぶつかって怪我をしたり、ドア自体のデザインを損ねたりするという問題があった。
【課題を解決するための手段】
【０００７】
請求項１記載の発明は、扉本体に配設されて換気機能を有するドアハンドル構造であって、
該扉本体には、空気の通路となる開口部が形成され、
該開口部には、該扉本体に開閉可能に軸支される把手板が配設され、
該扉本体と該把手板を回動可能に連結する軸部を備え、
該把手板には、該扉本体の開閉及び該把手板の開閉をさせる把手部が形成されていることを特徴とする。
【０００８】
請求項２記載の発明は、該把持部が、該把手板に手を挿入可能な貫通孔であることを特徴とする。
【０００９】
請求項３記載の発明は、該把手板が、平面視略Ｓ字状に形成され、該把持部が、該把手板の水平方向の両端部を手で把持可能に形成されていることを特徴とする。
【００１０】
請求項４記載の発明は、該軸部が、該把手板を緩速又は間欠に回動させる部材を有して構成されることを特徴とする。
【００１１】
請求項５記載の発明は、該把手板の水平方向の両端面には、手の挟み込みを防止する弾性体が止着されていることを特徴とする。
【００１２】
請求項６記載の発明は、請求項１、２、３、４、又は５記載のドアハンドル構造のうちいずれか一つのドアハンドル構造を備えているドアであることを特徴とする。
【発明の効果】
【００１３】
請求項１記載の発明では、把手板に換気機能とドアハンドルの機能を持たせることで、換気装置を簡易な構造とすることができる。把手板を扉本体に対して直交させるように開けることにより扉本体を閉めたまま換気が可能となる。把手板を扉本体に対して直交させて開放換気状態にしても、把手板を扉本体に対して面一にして閉鎖状態にしても、把手部で容易に扉本体の開閉及び把手板の開閉をすることができる。
【００１４】
請求項２記載の発明では、把手板に設けた貫通孔によって、手を挿入して容易に扉本体の開閉及び把手板の開閉をすることができる。把手板を扉本体に対して直交させるように開けることにより扉本体を閉めたまま換気が可能となる。把手板を扉本体に対して面一にして扉本体をフラットな状態にでき、突起物が無くなるため、突起物に人がぶつかって怪我をしたりするのを防止することができ、デザイン性も高める事ができる。
【００１５】
請求項３記載の発明では、把手板を平面視略Ｓ字状に形成するとともに、把持部を手で把持可能に形成されているので、手で容易に扉本体の開閉及び把手板の開閉をすることができる。把手板を扉本体に対して直交させるように開けることにより扉本体を閉めたまま換気が可能となる。把手板を扉本体に沿って配置することで、突起物が無くなるため、突起物に人がぶつかって怪我をしたりするのを防止することができ、デザイン性も高める事ができる。
【００１６】
請求項４記載の発明では、把手板を扉本体に対して緩速又は間欠に回動させる部材を有した軸部によって連結している。よって、把手板の速い開閉を制限して開口部と把手板との間で手を挟むことを防止して安全を確保することができる。
【００１７】
請求項５記載の発明では、手の挟み込みを防止する弾性体を止着することによって開口部と把手板との間で手を挟むことがなくなり、把手板開閉時の安全を確保することができる。
【００１８】
請求項６記載の発明では、ドアに備えられている、上述した請求項１乃至５記載のうちのいずれかのドアハンドル構造の効果を奏する。
【図面の簡単な説明】
【００１９】
【図１】本発明における第１の実施形態のドアハンドル構造が取り付けられた状態を示す正面図である。
【図２】図１における把手板を扉本体に直交させた状態の正面図である。
【図３】本発明における第１の実施形態のドアハンドル構造が取り付けられた状態を示す平面断面図である。
【図４】図１における把手板の（ａ）は貫通孔部分以外の平面断面図であり、（ｂ）は貫通孔部分の平面断面図である。
【図５】本発明における第１の実施形態のドアハンドル構造の把手板取付部分を示す側面断面図である。
【図６】本発明における第１の実施形態のドアハンドル構造のガラス板取付部分を示す側面断面図である。
【図７】本発明における第２の実施形態のドアハンドル構造の（ａ）は把手板の平面断面図であり、（ｂ）は把手板を扉本体に直交させた状態の平面断面図である。
【図８】本発明における第３の実施形態のドアハンドル構造が取り付けられた状態を示す正面図である。
【図９】本発明におけるドアハンドル構造の把手板の変形例の平面断面図である。
【図１０】本発明におけるドアハンドル構造の変形例の正面図である。
【図１１】本発明におけるドアハンドル構造の貫通孔の変形例の正面図である。
【発明を実施するための形態】
【００２０】
本発明におけるドアハンドル構造の第１の実施形態を図面に基づいて説明する。以下の説明では、図１における上下を上下方向、左右を左右方向、とする。
【００２１】
図１に示すとおり、ドア１００は、ドアハンドル構造１を備えて構成されている。ドアハンドル構造１は、開口部４が形成された扉本体２に把手板９が配設され開閉可能に軸支されて形成されている。
【００２２】
扉本体２は、図１、図２、図３に示すとおり、建築物の出入口等に設置された図示しないドア枠に開閉可能に枢支されて設置されている。扉本体２は、木材で矩形平板状に形成されている。
【００２３】
扉本体２の左側の端部付近には、上下方向に沿って長尺で矩形状の穴部３が形成されている。穴部３は、切削加工等により扉本体２を貫通して形成されている。穴部３の外縁には、上開口枠部５ａと、下開口枠部５ｂと、左開口枠部５ｃと、上採光枠部７ａと、縦採光枠部７ｂと、下採光枠部７ｃと、が設けられている。穴部３は、上下方向に沿って設けられた右開口枠部５ｄによって、空気の通路となる開口部４と採光する採光部６と、に区画されている。
【００２４】
把手板９は、上下方向に長尺な矩形形状に木材で形成されて開口部４に配置されている。中央部に扉本体２の開閉及び把手板９の開閉を可能に形成された貫通孔１０が設けられている。貫通孔１０は、把手板９の上下方向の中央部に上下方向に沿って長尺で矩形状に形成され、手を挿入して把持可能に形成されている。図４（ａ）に示すとおり、貫通孔１０が形成される把手板９の中央部以外の平面視における断面は、略十字状に形成されている。図４（ｂ）に示すとおり、貫通孔１０が形成される把手板９の中央部の平面視における断面は、貫通孔１０部分が手で把持しやすいように湾曲した形状に抜かれて形成されている。
【００２５】
図１、図２、図５に示すとおり、把手板９の上端面の幅方向の中央部には、軸１１が嵌入される軸支孔１２が設けられている。軸１１は、一方の端部が軸支孔１２に嵌入可能に形成されて軸支孔１２に嵌入され、他方の端部が把手板９を緩速回動させるロータリダンパ１３に止着されている。把手板９と扉本体２がロータリダンパ１３及び軸１１を介して回動可能に軸支され連結されている。
【００２６】
把手板９の下端面の幅方向の中央部には、軸１４が嵌入される軸支孔１５が設けられている。軸１４は、一方の端部が軸支孔１５に嵌入可能に形成され、他方の端部が下開口枠部５ｂの軸１４に対向する位置に設けられた軸受け孔１７に挿入可能に形成されている。軸支孔１５に軸１４の一方の端部が嵌入されている。軸１４は、下端部から全長の約四分の一の位置に、軸１４の直径より大きい拡径部１６を有している。軸１４の他方の端部を軸受け孔１７に挿入して、拡径部１６と下開口枠部５ｂを当接させて、把手板９と扉本体２が下開口枠部５ｂ及び軸１４を介して回動可能に軸支され連結されている。
【００２７】
上開口枠部５ａと、下開口枠部５ｂと、左開口枠部５ｃは、開口部４の外縁に嵌入されネジ等で止着されている。右開口枠部５ｄは、上開口枠部５ａと、下開口枠部５ｂと、を連結するように配置されている。
【００２８】
上開口枠部５ａの軸１１に対向する位置にロータリダンパ１３が止着されている。扉本体２のロータリダンパ１３に対応する位置に、ロータリダンパ１３が配置される孔２２が設けられている。下開口枠部５ｂの軸１４に対向する位置に軸受け孔１７が設けられている。扉本体２の軸受け孔１７に対応する位置に、軸１４を配置する孔２３が設けられている。
【００２９】
図１、図２、図６に示すとおり、開口部４に連接して、右開口枠部５ｄで区画された採光するための採光部６が設けられている。採光部６の縁部には、採光用のガラス板８を支持するための上採光枠部７ａと、縦採光枠部７ｂと、下採光枠部７ｃと、が設けられている。これらに加え、開口部４と、採光部６と、を区画する右開口枠部５ｄで光を透過するガラス板８が支持されている。上採光枠部７ａと、縦採光枠部７ｂと、下採光枠部７ｃは、採光部６の外縁に嵌入されネジ等で止着されている。
【００３０】
以下に本実施形態のドアハンドル構造１の使用方法の説明をする。
【００３１】
図１に示すとおり、建築物の出入口等に設置された扉本体２を、把手板９が扉本体２に対して面一な状態に配設して、閉めておく。
【００３２】
室内の空気を換気したい場合は、図２、図５に示すとおり、貫通孔１０に手を挿入して把手板９を把持して扉本体２に直交するように開ける。換気が終了したら、貫通孔１０に手を挿入して把手板９を把持して扉本体２に対して面一な状態にして閉じる。
【００３３】
扉本体２を開閉させる場合、把手板９が扉本体２に対して面一な状態な場合には、貫通孔１０に手を挿入して把手板９を把持してそのまま扉本体２を引っ張る又は押して開閉させる。また、把手板９が扉本体２に対して直交した状態にしてから、把手板９を把持してそのまま扉本体２を引っ張る又は押して開閉させてもよい。
【００３４】
本実施形態のドアハンドル構造１は、把手板９に換気機能と扉本体２の開閉機能を持たせることで、換気装置を簡易な構造とすることができる。
【００３５】
把手板９に設けた貫通孔１０によって、挿入した手で容易に扉本体２の開閉及び把手板９の開閉をすることができる。把手板９を扉本体２に対して直交させるように開けることにより扉本体２を閉めたまま換気が可能となる。換気しない場合には、把手板９を扉本体２に対して面一にして扉本体２をフラットな状態に閉じることができ、突起物が無くなるため、突起物に人がぶつかって怪我をしたりするのを防止することができ、デザイン性も高める事ができる。
【００３６】
把手板９を扉本体２に対して緩速に回動させるロータリダンパ１３によって軸支している。よって、把手板９の速い開閉を制限して開口部４と把手板９との間で手を挟むことを防止して安全を確保することができる。
【００３７】
本実施形態では、扉本体２を木材で形成したが材料としては、例えば、アルミ等の金属や、合成樹脂等の既存の全てのものを用いることができる。また、扉本体２の構造もハニカム構造等既存の全てのものを用いることができる。
【００３８】
本実施形態では、把手板９の開閉を制限する手段としては、ロータリダンパ１３を用いたが、間欠回動機能を有するラチェット等の部材を用いてもよい。
【００３９】
また、把手板９を扉本体２に対して直交させて換気する際に、把手板９の直交状態を維持するために小型のドアクローザーや、ドアチェッカー等を補助的に用いて把手板９と扉本体２を連結してもよい。
【００４０】
把手板９が扉本体２に対して開き放しにならないように、小型のドアクローザーや、ドアチェッカー等を補助的に用いて自動的に扉本体２に対して把手板９が面一状態になるように、把手板９と扉本体２を連結してもよい。
【００４１】
本発明におけるドアハンドル構造の第２の実施形態を図面に基づいて説明する。図７（ａ）、（ｂ）において左右方向を左右とし、上下方向を上下とする。以下の説明以外の構成は第１の実施形態と、同様のものとする。
【００４２】
本実施形態のドア１００ａは、ドアハンドル構造１ａを備えて構成されている。ドアハンドル構造１ａは、図７（ａ）に示すとおり、把手板９ａは、平面視における断面が略Ｓ字状に形成され開口部４ａに配設されている。把手板９ａの左右方向の両端部には、略Ｕ字状にカーブが形成されて、把手板９ａが扉本体２に対して突出しない状態でも、扉本体２に対して直交する状態でも、手で把持可能に形成された把持部１８が設けられている。把手板９ａの上下方向の全長は、扉本体２の上下方向の全長を超えない様に形成されている。
【００４３】
なお、開口部４ａの外縁には、上開口枠部５ａと、下開口枠部５ｂと、左開口枠部５ｃと、右開口枠部５ｄは、設けられていない。
【００４４】
本実施形態のドアハンドル構造１ａの使用方法としては、図７（ａ）に示すとおり、把手板９ａが扉本体２に対して突出しない状態にして閉められた状態にしておく。
【００４５】
室内の空気を換気したい場合は図７（ｂ）に示すとおり、略Ｕ字状に形成された把持部１８を手で把持して把手板９ａを扉本体２に直交するように開ける。換気が終了したら、把持部１８を手で把持して把手板９ａを扉本体２に対して突出しない状態にして閉める。
【００４６】
扉本体２を開閉させる場合は、先ず、把持部１８を手で把持して把手板９ａを扉本体２に直交するように開ける。次に、把持部１８を介して扉本体２を引っ張る又は押して開閉させる。
【００４７】
本実施形態のドアハンドル構造１ａでは、把手板９ａに換気機能と扉本体２の開閉機能を持たせ、一体に形成することで、換気装置を簡易な構造とすることができる。把手板９ａを平面視略Ｓ字状に形成するとともに、把持部１８を手で把持可能に形成されている。把手板９ａを扉本体２に対して直交させるように開けることにより扉本体２を閉めたまま換気が可能となる。把手板９ａを扉本体２に対して直交させて開放換気状態にしても、把手板９ａを扉本体２に沿って配置して扉本体２を閉鎖したときでも、手で把持部１８を把持して容易に扉本体２の開閉及び把手板９ａの開閉をすることができる。把手板９ａを扉本体２に沿って配置することで、突起物が無くなるため、突起物に人がぶつかって怪我をしたりするのを防止することができ、デザイン性も高める事ができる。
【００４８】
また、第１の実施形態における貫通孔１０のような孔部分を設けていないので、把手板９ａを扉本体２に沿って配置することで扉本体２を閉めたときでも、部屋の気密性を高めることができる。
【００４９】
本発明におけるドアハンドル構造の第３の実施形態を図面に基づいて説明する。以下の説明以外の構成は第１の実施形態と、同様のものとする。図８の上下左右方向を上下左右とする。
【００５０】
図８に示すとおり、ドア１００ｂは、ドアハンドル構造１ｂを備えて構成されている。ドアハンドル構造１ｂは、扉本体２ｂの左側の端部には、上下方向に沿って矩形状の開口部４ｂが形成されている。
【００５１】
把手板９ｂは、上下方向に長尺な矩形平板形状に形成され、開口部４ｂに配置されている。把手板９ｂの中央部には、扉本体２ｂの開閉及び把手板９ｂの開閉を可能に形成された貫通孔１０ｂ設けられている。貫通孔１０ｂは、把手板９ｂの上下方向の中央部に上下方向における中心線に沿って矩形状に形成され、手を挿入して把持可能に形成されている。
【００５２】
把手板９ｂの上端面の左右方向の中央部には、軸１１ｂが嵌入される軸支孔１２ｂが設けられている。軸支孔１２ｂに軸１１ｂの一方の端部が嵌入されている。軸１１ｂに対向する上開口枠部５Ａの位置に軸受け孔１９ａが設けられている。扉本体２ｂの軸受け孔１９ａに対応する位置に、軸１１ｂを配置する孔２２ｂが設けられている。軸１１ｂの他方の端部を軸受け孔１９ａに挿入して、把手板９ｂと扉本体２ｂが上開口枠部５Ａと軸１１ｂを介して回動可能に軸支され連結されている。
【００５３】
把手板９ｂの下端面の左右方向の中央部には、軸１４ｂが嵌入される軸支孔１５ｂが設けられている。軸支孔１５ｂに軸１４ｂの一方の端部が嵌入されている。軸１１ｂに対向する下開口枠部５Ｂの位置に軸受け孔１９ｂが設けられている。扉本体２ｂの軸受け孔１９ｂに対応する位置に、軸１４ｂを配置する孔２３ｂが設けられている。軸１４ｂの他方の端部を軸受け孔１９ｂに挿入して、把手板９と扉本体２ｂが下開口枠部５Ｂと軸１４ｂを介して回動可能に軸支され連結されている。
【００５４】
把手板９ｂを開口部４ｂに配設しやすくするため、軸１１ｂ、軸１４ｂのいずれか、又は両方に、上下方向の長さを調節可能な部材を用いるのが望ましい。
【００５５】
本実施形態のドアハンドル構造１ｂの使用方法を説明する。
【００５６】
図８に示すとおり、建築物の出入口等に設置された扉本体２ｂを、把手板９ｂが扉本体２ｂに対して面一な状態に配設して、閉めておく。
【００５７】
室内の空気を換気したい場合は、第１の実施形態における図２、図３と同様に、貫通孔１０ｂに手を挿入して把手板９ｂを把持して扉本体２ｂに直交するように開ける。換気が終了したら、貫通孔１０ｂに手を挿入して把手板９ｂを把持して扉本体２ｂに対して面一な状態にして閉じる。
【００５８】
扉本体２ｂを開閉させる場合、把手板９ｂが扉本体２に対して面一な状態な場合には、貫通孔１０ｂに手を挿入して把手板９ｂを把持してそのまま扉本体２を引っ張る又は押して開閉させる。また、把手板９ｂが扉本体２ｂに対して直交した状態にしてから、把手板９ｂを把持してそのまま扉本体２ｂを引っ張る又は押して開閉させてもよい。
【００５９】
本実施形態のドアハンドル構造１ｂは、把手板９ｂに換気機能と扉本体２ｂの開閉の機能を持たせることで、換気装置を簡易な構造とすることができる。把手板９ｂに設けた貫通孔１０ｂによって、挿入した手で容易に扉本体２の開閉及び把手板９ｂの開閉をすることができる。把手板９ｂを扉本体２ｂに対して直交させるように開けることにより扉本体２を閉めたまま換気が可能となる。
【００６０】
換気しない場合には、把手板９ｂを扉本体２ｂに対して面一にして扉本体２ｂを閉めてフラットな状態にでき、突起物が無くなるため、突起物に人がぶつかって怪我をしたりするのを防止することができ、デザイン性も高める事ができる。
【００６１】
本実施形態では、把手板９ｂに軸１１ｂ及び軸１４ｂを嵌入しているが、軸部分を把手板９ｂと一体成形してもよい。
【００６２】
本発明の第１及び第３の実施形態における把手板９及び把手板９ｂの変形例を、図９に示す。図９における左右方向を左右とする。
【００６３】
把手板９及び把手板９ｂの左右方向の長さを、開口部４及び開口部４ｂの左右方向の長さより短く形成して、左右方向の両端面に弾性体２０が止着されている。手の挟み込みを防止する弾性体２０を止着することによって左開口枠部５ｃ及び右開口枠部５ｄと把手板９ｂとの間で手を挟むことがなくなり、把手板開閉時の安全を確保することができる。また、弾性体２０で空気の漏れを防止するようにしてもよい。さらに、第２の実施形態における把手板９ａに弾性体２０を止着して同様の効果を得るようにしてもよい。
【００６４】
把手板の形状及び取付方法は、上述した形態には、こだわらない。変形例を図面に基づいて説明する。図１０における左右方向を左右とし、上下方向を上下とする。例えば、ドア１００ｃは、ドアハンドル構造１ｃを備えて構成されている。ドアハンドル構造１ｃは、図１０に示すとおり、扉本体２ｃには、開口部４ｃが左右方向に長尺で中央部に形成されている。把手板９ｃは、左右方向に長尺な矩形形状に木材で形成されて開口部４ｃに配置されている。
【００６５】
把手板９ｃの左端面の幅方向の中央部には、軸１１ｃが嵌入される軸支孔１２ｃが設けられている。軸支孔１２ｂに軸１１ｂの一方の端部が嵌入されている。軸１１ｃに対向する左開口枠部５Ｃの位置に軸受け孔１９ｃが設けられている。扉本体２ｃの対応する位置に、軸１１ｃを配置する孔２２ｃが設けられている。軸１１ｃの他方の端部を軸受け孔１９ｃに挿入して、把手板９ｃと扉本体２ｃが軸１１ｃによって回動可能に軸支され連結されている。
【００６６】
把手板９ｃの右端面の幅方向の中央部には、軸１４ｃが嵌入される軸支孔１５ｃが設けられている。軸支孔１５ｃに軸１４ｃの一方の端部が嵌入されている。軸１１ｃに対向する右開口枠部５Ｄの位置に軸受け孔１９ｄが設けられている。扉本体２ｃの軸受け孔１９ｄに対応する位置に、軸１４ｃを配置する孔２３ｃが設けられている。軸１４ｃの他方の端部を軸受け孔１９ｄに挿入して、把手板９ｃと扉本体２ｃが軸１４ｃによって回動可能に軸支され連結されている。
【００６７】
把手板９ｃを開口部４ｃに配設しやすくするため、軸１１ｃ、軸１４ｃのいずれか、又は両方に、左右方向の長さを調節可能な部材を用いるのが望ましい。
【００６８】
把手板９ｃの左側の端部には、上下方向に沿って扉本体２ｃを回動可能に形成される貫通孔１０ｃが設けられている。貫通孔１０ｃより中央寄りに、把手板９ｃを回動可能に形成される貫通孔１０ｄが設けられている。
【００６９】
把手板の形状及び取付方法に応じて、貫通孔の位置や機能を変化させることで、手で扉本体２ｃの開閉及び把手板９ｃの開閉をしやすくすることができる。
【００７０】
図１１に示すとおり、貫通孔１０ｅは、把手板９ｅの上下方向の中央部に上下方向における中心線に沿って平行に複数設けてもよい。
【００７１】
把手板の形状は、上述した形状にはこだわらない。例えば、丸型、星型、十字形等回動可能に軸支できる形状であればよい。また、人の背の高さに応じて把手板を適切な位置に複数設けてもよい。
【００７２】
本発明の全ての実施形態の扉本体の開閉方式は、開き戸方式で説明したが、スライド方式その他の開閉方式を用いてもよい。
【符号の説明】
【００７３】
１、１ａ、１ｂ、１ｃ  ドアハンドル構造
２、２ｂ、２ｃ  扉本体
４、４ａ、４ｂ、４ｃ  開口部
９、９ａ、９ｂ、９ｃ、９ｅ  把手板
１０、１０ｂ、１０ｃ、１０ｄ、１０ｅ  貫通孔
１１、１１ｂ、１１ｃ  軸
１２、１２ｂ、１２ｃ  軸支孔
１３  ロータリダンパ
１４、１４ｂ、１４ｃ  軸
１５、１５ｂ、１５ｃ  軸支孔
１６  拡径部
１７  軸受け孔
１８  把持部
１９ａ、１９ｂ、１９ｃ、１９ｄ  軸受け孔
２０  弾性体
１００、１００ａ、１００ｂ、１００ｃ  ドア
【図１】
2011111826.tif 000003
【図２】
2011111826.tif 000004
【図３】
2011111826.tif 000005
【図４】
2011111826.tif 000006
【図５】
2011111826.tif 000007
【図６】
2011111826.tif 000008
【図７】
2011111826.tif 000009
【図８】
2011111826.tif 000010
【図９】
2011111826.tif 000011
【図１０】
2011111826.tif 000012
【図１１】
2011111826.tif 000013